(57)【要約】スマートフォンを携帯する利用者が当該スマートフォンを懐中に携帯したまま自動改札機を通過することができる駅務システム、自動改札機及び中央管理サーバ。【課題】自動改札機３０の入口部に配置された人間検知センサで利用者が検知されたとき、自動改札機は、Ａ通信部３１ａからスマートフォン７０に対してＩＤ・乗車情報要求を行い、スマートフォンからＩＤ・乗車情報を受信し、当該ＩＤを中央管理サーバ１００に送信する。中央管理サーバは、受信したＩＤが登録されているか認証を行い（第１の認証）、当該認証結果を自動改札機に送信する。利用者が当該自動改札機の出口部センサで検知されたとき、自動改札機はスマートフォンに対して再度ＩＤ要求を行い、スマートフォンから受信したＩＤが上記第１の認証で認証されたＩＤと一致するか認証する（第２の認証）。この第２の認証で認証がとれたとき乗車情報に基づいてドアの開閉を制御する。【選択図】  図１
2014035618.tif 000002
【特許請求の範囲】
【請求項１】
携帯端末、自動改札機及び中央管理サーバを有して構成された自動改札システムであって、
前記自動改札機は、
前記携帯端末と通信するために、当該自動改札機の入口部及び出口部に配置した通信手段と、
当該自動改札機の入口部及び出口に配置され、当該自動改札機内通路を通過する利用者を検知する人間検知センサと、
前記入口部に配置された人間検知センサが当該利用者を検知したとき、前記携帯端末のＩＤ及び乗車情報を読取り、当該ＩＤが登録されたＩＤであるか否かを認証する第１の認証手段と、
この第１の認証結果に基づいて認証がとれたとき、前記乗車情報の判定を行う乗車情報判定手段と、
前記利用者が前進し前記出口部の人間検知センサによって検知されたとき、前記携帯端末のＩＤを再度認証する第２の認証手段と、
を有し、
前記中央管理サーバは、
前記登録されたＩＤを記憶する記憶手段と、
ネットワークを介して自動改札機と通信する通信手段と、
これらを制御する制御手段と、
前記通信手段によって前記自動改札機から受信したＩＤが登録されたＩＤであるか否かの認証を行う認証手段と、
この認証手段による認証結果を前記通信手段によって当該自動改札機に送信し、
前記第１の認証手段によって認証されたＩＤと前記第２の認証手段によるＩＤが一致し、かつ、前記乗車情報判定結果がＯＫのとき当該自動改札機の通過を許可する自動改札システム。
【請求項２】
前記第１の認証手段は、
携帯端末の利用者が前記自動改札機の入口センサで検知された際、
当該自動改札機からＩＤ・乗車情報要求を携帯端末に送信する工程と、
携帯端末から送信されたＩＤ及び乗車情報を受信する工程と、
当該受信したＩＤを前記中央管理サーバに送信する工程と、
当該中央管理サーバが前記自動改札機から受信したＩＤが当該中央管理サーバに登録されているか否かの認証結果を、当該中央管理サーバから受信する工程と、
を有し、
前記第２の認証手段は、
携帯端末の利用者が前記自動改札機の出口センサで検知された際、
当該自動改札機からＩＤ要求を携帯端末に送信する工程と、
携帯端末から送信されたＩＤを受信する工程と、
当該受信したＩＤが、前記第１の認証手段によって認証されたＩＤと一致するか否かの判定を行う工程と、
を有する請求項１記載の自動改札システム。
【請求項３】
携帯端末、自動改札機及び中央管理サーバを有して構成された自動改札システムの自動改札機であって、
前記携帯端末と通信するために、当該自動改札機の入口部及び出口部にそれぞれ１個配置した通信手段と、
当該自動改札機の入口部及び出口に配置され、当該自動改札機内通路を通過する利用者を検知する人間検知センサと、
前記入口部に配置された人間検知センサが当該利用者を検知したとき、前記携帯端末のＩＤ及び乗車情報を読取り、当該ＩＤが登録されたＩＤであるか否かを認証する第１の認証手段と、
この第１の認証結果に基づいて認証がとれたとき、前記乗車情報の判定を行う乗車情報判定手段と、
前記利用者が前進し前記出口部の人間検知センサによって検知されたとき、前記携帯端末のＩＤを再度認証する第２の認証手段と、を有し、
前記第１の認証手段によって認証されたＩＤと前記第２の認証手段によるＩＤが一致し、かつ、前記乗車情報判定結果がＯＫのとき当該自動改札機の通過を許可する自動改札システムの自動改札機。
【請求項４】
携帯端末、自動改札機及び中央管理サーバを有して構成された自動改札システムの中央管理サーバであって、
前記中央管理サーバは、
前記登録されたＩＤを記憶する記憶手段と、
ネットワークを介して自動改札機と通信する通信手段と、
これらを制御する制御手段と、
前記通信手段によって前記自動改札機から受信したＩＤが登録されたＩＤであるか否かの認証を行う認証手段と、
を有し、
前記認証手段による認証結果を前記通信手段によって当該自動改札機に送信する自動改札システムの中央管理サーバ。
【請求項５】
前記中央管理サーバは、
自動改札機から送信されたＩＤ・利用情報を受信する工程と、
前記受信したＩＤが登録されたＩＤであるか否かを認証するＩＤ認証工程と、
このＩＤ認証工程でＩＤが認証されたとき、当該ＩＤごとに所定の期間乗車料金を加算する加算工程と、
前記所定の期間の経過後にＩＤごとに加算された乗車料金を前記携帯端末の料金課金システムを利用して当該携帯端末の利用者に料金請求を行う工程と、
を有する請求項４記載の自動改札システムの中央管理サーバ。
【発明の詳細な説明】
【技術分野】
【０００１】
本発明の実施形態は、自動改札機システム、自動改札機及び中央管理サーバに適用する。
【背景技術】
【０００２】
近年、スマートフォンなどの携帯端末を用いて自動改札機を利用することが可能になってきた。なお、スマートフォンとは、携帯端末（又はＰＨＳ）機能と携帯情報端末（ＰＤＡ）機能を有する携帯端末のことである。
【０００３】
スマートフォンは操作部及び表示部が一体として備えられているものが知られているが、当該スマートフォンを自動改札機の読取部に翳して用いる利用形態が一般的である（例えば、特許文献１参照。）。
【先行技術文献】
【特許文献】
【０００４】
【特許文献１】特開２００８−５９２７１号公報
【発明の概要】
【発明が解決しようとする課題】
【０００５】
上述したスマートフォンの利用形態は、いわゆるＳｕｉｃａ（Ｒ）などの非接触ＩＣカードを用いて自動改札機を利用するための通信機能をスマートフォンに搭載することにより、スマートフォンを用いて自動改札機を利用できるようにしたものである。
【０００６】
しかしながら、上述した従来のスマートフォンの場合は、非接触ＩＣカードを用いて自動改札機を利用するのと同様に自動改札機の読取部に翳す必要があり、自動改札機を通過する際に、手荷物等を持っている場合には、当該スマートフォンを翳しずらいという課題があった。
【０００７】
本発明は、上述した課題を解決するためになされたもので、スマートフォンを携帯する利用者が、当該スマートフォンを鞄などから取出して読取部に翳さなくても懐中に携帯した状態で自動改札機を通過することができる自動改札システム、自動改札機及び中央管理サーバを提供することを目的とする。
【課題を解決するための手段】
【０００８】
上記目的を達成するために、本発明の請求項１記載の自動改札システムは、携帯端末、自動改札機及び中央管理サーバを有して構成された自動改札システムであって、前記自動改札機は、前記携帯端末と通信するために、当該自動改札機の入口部及び出口部にそれぞれ配置した通信手段と、当該自動改札機の入口部及び出口に配置され、当該自動改札機内通路を通過する利用者を検知する人間検知センサと、前記入口部に配置された人間検知センサが当該利用者を検知したとき、前記携帯端末のＩＤ及び乗車情報を読取り、当該ＩＤが登録されたＩＤであるか否かを認証する第１の認証手段と、この第１の認証結果に基づいて認証がとれたとき、前記乗車情報の判定を行う乗車情報判定手段と、前記利用者が前進し前記出口部の人間検知センサによって検知されたとき、前記携帯端末のＩＤを再度認証する第２の認証手段と、を有し、前記中央管理サーバは、前記登録されたＩＤを記憶する記憶手段と、ネットワークを介して自動改札機と通信する通信手段と、これらを制御する制御手段と、前記通信手段によって前記自動改札機から受信したＩＤが登録されたＩＤであるか否かの認証を行う認証手段と、この認証手段による認証結果を前記通信手段によって当該自動改札機に送信し、前記第１の認証手段によって認証されたＩＤと前記第２の認証手段によるＩＤが一致し、かつ、前記乗車情報判定結果がＯＫのとき当該自動改札機の通過を許可する自動改札システム。
【図面の簡単な説明】
【０００９】
【図１】実施例１に係る自動改札システム
【図２】複数駅に設置された自動改札システム構成図
【図３】Ａ駅に設置された自動改札システム構成図の一例
【図４】自動改札機がスマートフォンと通信する方法を説明する図
【図５】自動改札機とスマートフォンの通信処理を説明する図
【図６】実施例１に係るスマートフォンを用いた自動改札システムのフローチャート
【図７】中央管理サーバの乗車料金請求処理のフローチャート
【発明を実施するための形態】
【００１０】
本実施例に係るスマートフォン（携帯端末）は、自動改札機と非接触通信が可能な通信手段を有する。また、自動改札機及び窓口処理機はＬＡＮなどの通信回線を介して上位装置と接続される。上位装置は通信回線を介して中央管理サーバと接続される。以下、図面を参照して実施例を説明する。
【実施例１】
【００１１】
図１は、実施例１に係る自動改札システム１である。自動改札システム１は、自動改札機３０（自動改札機入場機３０ａ、自動改札機出場機３０ｂの総称）及び中央管理サーバ１００が通信回線３００を介して接続された状態を示す。
【００１２】
図２は、複数駅に設置された自動改札システム１の構成図である。Ａ駅２００Ａには、自動改札機入場機３０ａ、自動改札機出場機３０ｂ、窓口処理機４０及び上位装置５０が設置されている。また、これらの各装置はＬＡＮ（Local Area Network）６０を介して接続される。また、上位装置５０は、通信回線３００を介して中央監視サーバ１００に接続される。
【００１３】
Ｂ駅２００ＢもＡ駅同様に構成される。
【００１４】
中央管理サーバ１００は、ＣＰＵ（Central Processing Unit:中央処理装置、制御手段）１１０、記憶部（記憶手段）１２０、操作表示部１３０及び通信部１４０を有して構成される。なお、中央管理サーバ１００は管理する駅数などの規模に応じＣＰＵ１１０の性能及び記憶部１２０の容量が設定される。
【００１５】
操作表示部１３０は、表示部１３１及び入力部１３２を有する。入力部１３２は、キーボード、マウスなどで構成されるが、必要に応じて当該表示部１３１表面に配置されたタッチパネルも入力部を構成する。
【００１６】
通信部１４０は、通信回線３００を介してＡ駅の上位装置５０及びＢ駅の上位装置と接続される。また、通信部１４０は、当該上位装置５０を介して自動改札機３０と接続される。
【００１７】
図３は、Ａ駅２００Ａに設置された自動改札システム構成図の一例である。図４は、自動改札機３０がスマートフォン７０と通信する方法を説明する図である。以下、利用者は図示矢印Ａ方向に前進する者として説明する。
【００１８】
自動改札機３０は、入口部分にスマートフォン７０と非接触通信を行うＡ通信部３１ａが配置され、出口部分に同様にスマートフォン７０と時接触通信を行うＢ通信部３１ａが配置される。また、出口部分には案内表示部３２が配置される。
【００１９】
Ａ通信部３１ａは、当該Ａ通信部３１ａを中心に設定された読取範囲（例えば５００ｍｍ）内にスマートフォン７０が有る場合には当該スマートフォン７０と非接触通信が可能である。
【００２０】
同様にＢ通信部３１ｂは、当該Ｂ通信部３１ｂを中心に設定された読取範囲（例えば５００ｍｍ）内にスマートフォン７０が有る場合には当該スマートフォン７０と非接触通信が可能である。しかしながら、Ａ通信部３１ａとＢ通信部３１ｂの読取範囲は重ならないように設定される。通常は、スマートフォン７０を携帯した利用者が矢印Ａ方向に前進し、自動改札機３０の入口部に配置された入口センサ（人間検知センサ）３４ａによって当該利用者が検知された際に当該利用者が携帯したスマートフォン７０と通信経路の確立処理を行う（詳細は後述する。）。なお、スマートフォン７０には、操作表示部７１が設けられており、当該操作表示部７１に利用者が要求した情報を表示すると共に当該操作表示部７１に配置されたタッチパネルから情報を入力することができる。
【００２１】
図５は、自動改札機３０とスマートフォン７０の通信処理を説明する図である。以下の処理は自動改札機３０の制御部３５及びスマートフォン７０の制御部７２によって処理される。
【００２２】
最初に、自動改札機３０の入口部に配置された入口センサ３４ａがスマートフォン７０を携帯する利用者を検知すると、自動改札機３０の制御部３５は、Ａ通信部３１ａからスマートフォン７０に対してＩＤ・乗車情報要求を行う。
【００２３】
スマートフォン７０は、ＩＤ・乗車情報要求を受信し、自動改札機３０に対してＩＤ・乗車情報を送信する。
【００２４】
自動改札機３０のＡ通信部３１ａは、スマートフォン７０からＩＤ・乗車情報を受信する。
【００２５】
自動改札機３０の制御部３５は、受信したＩＤが自動改札機の利用者として登録されているか否かの認証を行うために中央管理サーバ１００に当該受信したＩＤを送信する。
【００２６】
中央管理サーバ１００は、自動改札機３０から受信したＩＤが当該中央管理サーバ１００の記憶部１２０に登録されているか否かの認証を行う。認証結果は、当該要求した自動改札機３０に送信される。
【００２７】
自動改札機３０の制御部３５は、受信したＩＤ認証の結果、認証ＯＫの場合、スマートフォン７０から受信した乗車情報を判定する。当該乗車情報の判定結果に基づいてゲート３３を制御し、当該スマートフォン７０を携帯する利用者の通行を許可又は阻止する（詳細は後述する）。
【００２８】
当該スマートフォン７０を携帯する利用者がさらに前進し、当該自動改札機３０の出口部に配置された出口センサ（人間検知センサ）３４ｂが当該利用者を検知すると、自動改札機３０の制御部３５はＢ通信部３１ｂからスマートフォン７０に対してＩＤを要求する。自動改札機３０の入口部で検知された利用者がさらに前進し、当該自動改札機３０の出口に達した同一利用者であるかを確認するためである。本実施例１のスマートフォン７０は従来のＩＣカードに比べて長距離通信を特徴としているため、自動改札機３０の入口部に配置された入口センサ３４ａでは当該自動改札機３０を利用する利用者が検知されたが、当該利用者の近傍にいた第３者が携帯するスマートフォンのＩＤが誤認証された場合、自動改札機３０の通路を通過する利用者は第３者が通過したものと見なされる場合がある。これを防止するために、当該真の利用者が当該自動改札機３０の出口に配置された出口センサ３４ｂによって検知されたときに、当該出口センサ３４ｂによって検知された利用者のスマートフォン７０のＩＤを再度認証することにしている。
【００２９】
制御部３５は、スマートフォン７０から受信したＩＤが、先に受信したＩＤと同一である場合には、スマートフォン７０を携帯する利用者は真なる利用者とみなして、上記乗車情報の判定結果に基づくゲート制御を行う。
【００３０】
図６は、実施例１に係るスマートフォン７０を用いた自動改札システム１のフローチャートである。
【００３１】
自動改札機３０（自動改札機入場機３０ａ及び自動改札機出場機３０ｂの総称）は、当該自動改札機３０の入口センサ３４ａで利用者が検知されるまで待つ（Ｓ０１のＮｏでループ）。この待ちループで利用者が検知されると、自動改札機３０は、非接触通信によるＩＤ・乗車情報要求１を行う。
【００３２】
この要求に対して、当該入口センサ３４ａで検知された利用者がスマートフォン７０を携帯している場合、当該スマートフォン７０が自動改札機３０からのＩＤ・乗車情報要求を受信した場合（Ｓ２１のＹｅｓ）、スマートフォン７０は当該スマートフォン７０のＩＤ（Identification：スマートフォンを特定するための識別子）及び当該スマートフォン７０に登録された乗車情報を自動改札機３０に送信する（Ｓ２２）。
【００３３】
自動改札機３０は、スマートフォン７０から送信されたＩＤ・乗車情報を受信すると（Ｓ０３のＹｅｓ）、当該受信したＩＤが自動改札機３０で利用できるものであるか否の認証確認を行うために、当該受信したＩＤを中央管理サーバ１００に送信する（Ｓ０４）。
【００３４】
中央管理サーバ１００は、自動改札機３０から送信されたＩＤを受信し（Ｓ３１）、当該ＩＤが自動改札機で利用可能なものとして登録されているか否かＩＤ認証を行う（Ｓ３２）。このＩＤ認証結果は、中央管理サーバ１００から自動改札機３０に送信される（Ｓ３３）。
【００３５】
自動改札機３０は、中央管理サーバ１００から受信したＩＤ認証結果が認証ＯＫの場合（Ｓ０４のＹｅｓ）、乗車情報の判定を行う。この乗車情報の判定は、自動改札機が従来から備えている基本機能で、詳細の説明は省略するが、例えば乗車券として利用できる利用鉄道会社が登録されているか、乗車券（普通券又は定期券）の利用期間、利用区間、乗車料金支払いに関する情報の判定などを行う。なお、当該判定は、自動改札機が入場機又は出場機で使用された場合には当該判定内容が異なる。自動改札機入場機では、入場時入場ビットが設定され、同一乗車券で複数人が入場するのを防止するが、料金の支払いは発生しない。一方、自動改札機出場機では、入場ビットが設定されており、かつ、乗車区間に基づく料金の支払いが可能であることが乗車情報判定ＯＫとなるための条件になる。
【００３６】
乗車情報判定がＯＫの場合（Ｓ０５のＹｅｓ）、自動改札機３０の出口センサ３４ｂで利用者が検知されるのを待つ（Ｓ０６のループ）。この出口センサ３４ｂで利用者が検知されると（Ｓ０６のＹｅｓ）、自動改札機３０は、再度、スマートフォン７０に対してＩＤ要求を行う（Ｓ０７）。これは、利用者が当該スマートフォン７０を携帯した状態で自動改札機３０と通信可能なように通信距離が長く設定されている（例えば、５００ｍｍ）ため、当該出口センサ３４ｂで検知された利用者と入口センサ３４ａで検知された利用者とが同一人物であり、同一スマートフォン７０を使用していることを確認するための認証である。
【００３７】
ただし、この場合は、自動改札機３０がスマートフォン７０のＩＤを確認するだけでよく、中央管理サーバ１００に対して問い合わせる必要はない。ステップＳ０３のＩＤ・乗車情報要求に基づいて認証したスマートフォン７０のＩＤが、ＩＤ要求に基づいて受信したＩＤと一致するかを認証する。この処理は自動改札機３０とスマートフォン７０との間で認証できるために、即応性が確保できる（Ｓ０８）。
【００３８】
この認証の結果、認証が確認できた場合（Ｓ０８のＹｅｓ）、スマートフォン７０による通行が許可され、自動改札機３０の前方に配置されたドア３３ａが開状態に制御される（Ｓ０９）、一方、認証が確認できない場合（Ｓ０８のＮｏ）、スマートフォン７０による通行が禁止され、自動改札機３０の前方に配置されたドア３３ａが閉状態に制御される（Ｓ１０）。
【００３９】
自動改札機３０の出場機は、当該スマートフォンによる利用に基づく乗車料金などの利用情報を中央管理サーバ１００に送信する（Ｓ１１）。
【００４０】
中央管理サーバ１００は、自動改札機３０から受信した乗車料金を所定の期間（例えば1カ月）ＩＤごとに蓄積する。
【００４１】
このようにして蓄積されたＩＤごとの乗車料金情報は当該期間加算された後携帯端末の料金課金システムに基づいて当該利用者に請求される。
【００４２】
なお、上記ステップＳ０４のＩＤ認証及びステップＳ０５の乗車情報判定でＮＧ判定の場合（Ｓ０４のＮｏ、Ｓ０５のＮｏ）、スマートフォン７０による通行は禁止され、自動改札機３０の前方に配置されたドアが閉状態になる（Ｓ１０）。
【００４３】
また、ステップＳ０３でスマートフォン７０からのＩＤ・乗車情報が受信できず（Ｓ０３のＮｏ）、従来のＩＣカード又は磁気乗車券が使用された場合（Ｓ１２のＹｅｓ）、当該ＩＣカード又は磁気乗車券の乗車情報が読み取られる（Ｓ１３）。
【００４４】
当該読み取られた乗車情報に基づく乗車判定が行われる（Ｓ１４）。当該乗車情報の乗車判定がＯＫの場合（Ｓ１４のＹｅｓ）、当該乗車券による通行が許可され自動改札機３０の前方に配置されたドアは開状態に制御される（Ｓ１５）。一方、当該乗車情報の乗車判定がＮＧの場合（Ｓ１４のＮｏ）、当該乗車券による通行は禁止され、自動改札機３０の前方のドアは閉状態に制御される。
【００４５】
図７は、中央管理サーバ（１００）の乗車料金請求処理のフローチャートである。
【００４６】
中央管理サーバ１００は、自動改札機３０からＩＤ・利用情報を受信すると（Ｓ４１）、当該ＩＤが登録されているか否かの認証を行う（Ｓ４２）。この認証の結果、当該ＩＤが認証されると（Ｓ４２のＹｅｓ）、ＩＤごとに所定の期間乗車料金が加算される（Ｓ４３）。加算された乗車料金は、当該ＩＤに係る携帯端末の料金課金システムを利用してスマートフォン７０の利用者に料金の請求が行われる（Ｓ４４）。
【００４７】
一方、ステップＳ４２において、ＩＤ認証がＮＧの場合（Ｓ４２のＮｏ）、当該ＩＤに利用料金の加算をすることができないので、当該情報を送信してきた自動改札機に当該認証結果を送信する（Ｓ４５）。
【００４８】
以上説明したように、本発明の実施例１によれば、スマートフォンを携帯する利用者が当該スマートフォンを自動改札機に翳すことなく、当該自動改札機を利用することができる。また、スマートフォンを用いて自動改札機を利用した際の乗車料金は、携帯端末の料金課金システムを用いて当該携帯端末の利用料金と合算して利用者に請求される。また、この方法を用いることにより、利用者は、携帯端末としてのスマートフォンを携帯していれば、乗車券又は現金を用いずに交通機関を利用することができるため利便性がよい。
【符号の説明】
【００４９】
３０  自動改札機
３１ａ  Ａ通信部
３１ｂ  Ｂ通信部
３２  案内表示部
３４ａ  入口センサ
３４ｂ  出口センサ
４０  窓口処理機
４５  読取部
５０  上位装置
６０  ＬＡＮ
７０  スマートフォン（携帯端末）
１００  中央管理センター
１１０  ＣＰＵ
１２０  記憶部
１３０  操作表示部「
２００Ａ  Ａ駅
２００Ｂ  Ｂ駅
３００  ネットワーク
【図１】
2014035618.tif 000003
【図２】
2014035618.tif 000004
【図３】
2014035618.tif 000005
【図４】
2014035618.tif 000006
【図５】
2014035618.tif 000007
【図６】
2014035618.tif 000008
【図７】
2014035618.tif 000009
【手続補正書】
【提出日】平成24年12月19日(2012.12.19)
【手続補正２】
【補正対象書類名】明細書
【補正対象項目名】０００８
【補正方法】変更
【補正の内容】
【０００８】
本発明は、上記課題を解決するために、請求項1記載の駅務システムは、携帯端末、自動改札機及び中央管理サーバを有して構成された駅務システムであって、前記自動改札機は、前記携帯端末と通信するために、当該自動改札機の入口部及び出口部に配置した通信手段と、当該自動改札機の入口部及び出口に配置され、当該自動改札機内通路を通過する利用者を検知する人間検知センサと、前記入口部に配置された人間検知センサが当該利用者を検知したとき、前記通信手段によって前記携帯端末のＩＤ及び乗車情報を読取り、かつ、当該ＩＤが、登録されたＩＤであるか否かを認証するための第１の認証要求手段と、この第１の認証結果に基づいて認証がとれたとき、前記乗車情報の判定を行う乗車情報判定手段と、前記利用者が前進し前記出口部の人間検知センサによって検知されたとき、前記通信手段によって前記携帯端末のＩＤを再度認証するための第２の認証要求手段と、を有し、前記中央管理サーバは、前記登録されたＩＤを記憶する記憶手段と、ネットワークを介して自動改札機と通信する通信手段と、前記通信手段によって前記自動改札機から受信したＩＤが前記記憶手段に登録されたＩＤであるか否かの認証を行う認証手段と、この認証手段による認証結果を前記通信手段によって前記自動改札機に送信する制御手段と、を有し、前記自動改札機は、前記第１の認証要求手段によって認証されたＩＤと前記第２の認証要求手段により前記携帯端末から受信したＩＤが一致し、かつ、前記乗車情報判定結果がＯＫのとき当該自動改札機の通過を許可する。
【手続補正３】
【補正対象書類名】明細書
【補正対象項目名】００３３
【補正方法】変更
【補正の内容】
【００３３】
自動改札機３０は、スマートフォン７０から送信されたＩＤ・乗車情報を受信すると（Ｓ０３のＹｅｓ）、当該受信したＩＤが自動改札機３０で利用できるものであるか否の認証確認を行うために、当該受信したＩＤを中央管理サーバ１００に送信する（Ｓ０４、第1の認証要求手段）。
【手続補正４】
【補正対象書類名】明細書
【補正対象項目名】００３７
【補正方法】変更
【補正の内容】
【００３７】
ただし、この場合は、自動改札機３０がスマートフォン７０のＩＤを確認するだけでよく、中央管理サーバ１００に対して問い合わせる必要はない。ステップＳ０３のＩＤ・乗車情報要求に基づいて認証したスマートフォン７０のＩＤが、ＩＤ要求に基づいて受信したＩＤと一致するかを認証する（Ｓ０８、第２の認証要求手段）。この処理は自動改札機３０とスマートフォン７０との間で認証できるために、即応性が確保できる（Ｓ０８）。
【手続補正５】
【補正対象書類名】特許請求の範囲
【補正対象項目名】全文
【補正方法】変更
【補正の内容】
【特許請求の範囲】
【請求項１】
携帯端末、自動改札機及び中央管理サーバを有して構成された駅務システムであって、前記自動改札機は、
前記携帯端末と通信するために、当該自動改札機の入口部及び出口部に配置した通信手段と、
当該自動改札機の入口部及び出口に配置され、当該自動改札機内通路を通過する利用者を検知する人間検知センサと、
前記入口部に配置された人間検知センサが当該利用者を検知したとき、前記通信手段によって前記携帯端末のＩＤ及び乗車情報を読取り、かつ、当該ＩＤが、登録されたＩＤであるか否かを認証するための第１の認証要求手段と、
この第１の認証結果に基づいて認証がとれたとき、前記乗車情報の判定を行う乗車情報判定手段と、
前記利用者が前進し前記出口部の人間検知センサによって検知されたとき、前記通信手段によって前記携帯端末のＩＤを再度認証するための第２の認証要求手段と、を有し、
前記中央管理サーバは、
前記登録されたＩＤを記憶する記憶手段と、
ネットワークを介して自動改札機と通信する通信手段と、
前記通信手段によって前記自動改札機から受信したＩＤが前記記憶手段に登録されたＩＤであるか否かの認証を行う認証手段と、
この認証手段による認証結果を前記通信手段によって前記自動改札機に送信する制御手段と、を有し、
前記自動改札機は、
前記第１の認証要求手段によって認証されたＩＤと前記第２の認証要求手段により前記携帯端末から受信したＩＤが一致し、かつ、前記乗車情報判定結果がＯＫのとき当該自動改札機の通過を許可する駅務システム。
【請求項２】
前記第１の認証要求手段は、
携帯端末の利用者が前記自動改札機の入口センサで検知された際、
当該自動改札機からＩＤ・乗車情報要求を当該携帯端末に送信する工程と、
前記ＩＤ・乗車情報要求を受信した携帯端末から送信されたＩＤ及び乗車情報を受信する工程と、
当該受信したＩＤの認証を行うために当該ＩＤを前記中央管理サーバに送信する工程と、
前記自動改札機から受信したＩＤが、当該中央管理サーバに登録されているか否かの認証結果を、当該中央管理サーバから受信する工程と、
を有し、
前記第２の認証要求手段は、
携帯端末の利用者が前記自動改札機の出口センサで検知された際、
当該自動改札機からＩＤ要求を当該携帯端末に送信する工程と、
前記ＩＤを受信した携帯端末から送信されたＩＤを受信する工程と、
当該受信したＩＤが、前記第１の認証要求手段によって認証されたＩＤと一致するか否かの判定を行う工程と、
を有する請求項１記載の駅務システム。
【請求項３】
携帯端末、自動改札機及び中央管理サーバを有して構成された駅務システムの自動改札機であって、
前記携帯端末と通信するために、当該自動改札機の入口部及び出口部に配置した通信手段と、
当該自動改札機の入口部及び出口に配置され、当該自動改札機内通路を通過する利用者を検知する人間検知センサと、
前記入口部に配置された人間検知センサが当該利用者を検知したとき、前記通信手段によって前記携帯端末のＩＤ及び乗車情報を読取り、かつ、当該ＩＤが、登録されたＩＤであるか否かを認証するための第１の認証要求手段と、
この第１の認証結果に基づいて認証がとれたとき、前記乗車情報の判定を行う乗車情報判定手段と、
前記利用者が前進し前記出口部の人間検知センサによって検知されたとき、前記通信手段によって前記携帯端末のＩＤを再度認証するための第２の認証要求手段と、
を有し、
前記第１の認証要求手段によって認証されたＩＤと前記第２の認証要求手段によるＩＤが一致し、かつ、前記乗車情報判定結果がＯＫのとき当該自動改札機の通過を許可する駅務システムの自動改札機。
【請求項４】
携帯端末、自動改札機及び中央管理サーバを有して構成された駅務システムの中央
管理サーバであって、
前記登録されたＩＤを記憶する記憶手段と、
ネットワークを介して自動改札機と通信する通信手段と、
前記通信手段によって前記自動改札機から受信したＩＤが前記記憶手段に登録されたＩＤであるか否かの認証を行う認証手段と、
この認証手段による認証結果を前記通信手段によって前記自動改札機に送信する制御手段と、
を有する駅務システムの中央管理サーバ。
【請求項５】
前記中央管理サーバは、
自動改札機から送信されたＩＤ・利用情報を受信する工程と、
前記受信したＩＤが登録されたＩＤであるか否かを認証するＩＤ認証工程と、
このＩＤ認証工程でＩＤが認証されたとき、当該ＩＤごとに所定の期間乗車料金を加算する加算工程と、
前記所定の期間の経過後に、ＩＤごとに加算された乗車料金を前記携帯端末の料金課金システムを利用して当該携帯端末の利用者に料金請求を行う工程と、
を有する請求項４記載の駅務システムの中央管理サーバ。
【手続補正７】
【補正対象書類名】図面
【補正対象項目名】図５
【補正方法】変更
【補正の内容】
【図５】
2014035618.tif 000010